(57)【特許請求の範囲】
【請求項１】
柱と、互いに対向する上梁および互いに対向する下梁とから直方体状に形成された骨組みを有し前記互いに対向する下梁に建物外部に露出する床面材が設けられたライトコート用建物ユニットであって、
前記互いに対向する下梁の一部にそれぞれ取り付けられるブラケットと、前記ブラケットの間に配置されるとともに前記ブラケットに着脱自在に取り付けられる根太とを備え、前記ブラケットの間にライトコート用の下部開口部が形成され、前記根太に前記床面材が面材用締結具を介して着脱自在に取り付けられ、
前記下部開口部に対応する上方位置に上部開口部が形成され、この上部開口部を形成するとともに前記互いに対向する上梁には前記上部開口部以外に天井小梁とブレースとが設けられ、
前記床面材は、リブが縦横にそれぞれ複数配列され平面が格子状に形成され
ることを特徴としたライトコート用建物ユニット。
【請求項２】
請求項１に記載のライトコート用建物ユニットにおいて、
前記面材用締結具は、前記床面材のリブを係止する取付金具と、この取付金具に係止されるボルトと、このボルトに螺合され前記根太に接合されるナットと、を備えたことを特徴としたライトコート用建物ユニット。
【請求項３】
請求項２に記載のライトコート用建物ユニットにおいて、
前記取付金具は、前記床面材の隣り合うリブをそれぞれ係止する係止片部と、これらの係止片部を連結するとともに前記ボルトが係止される連結片部とを有することを特徴としたライトコート用建物ユニット。
【請求項４】
柱と、互いに対向する上梁および互いに対向する下梁とから直方体状に形成された骨組みを有する建物ユニットを複数組み合わせて建てられるユニット式建物であって、
これらの建物ユニットの一部が、前記互いに対向する下梁に建物外部に露出する床面材がライトコート用の下部開口部に設けられたライトコート用建物ユニットであり、前記床面材は、リブが縦横にそれぞれ複数配列され平面が格子状に形成され、
このライトコート用建物ユニットを、工場において、前記互いに対向する下梁の一部にブラケットをそれぞれ取り付けて前記下部開口部を形成し、前記下部開口部に対応する上方位置に上部開口部を形成するとともに、前記互いに対向する上梁の前記上部開口部以外に天井小梁とブレースとを設けて製造し、
建物現場では、ライトコート用建物ユニット外部に面して設置し、その後、前記ブラケットの間に形成される前記下部開口部を閉塞するために、前記ブラケットの間に根太を取り付け、前記根太に前記床面材を面材用締結具で取り付けることを特徴としたユニット式建物。
【請求項５】
請求項４に記載のユニット式建物において、
前記ライトコート用建物ユニットは、前記下部開口部がライトコートの上に位置するように配置することを特徴としたユニット式建物。
【発明の詳細な説明】
【技術分野】
【０００１】
本発明は、ライトコート用建物ユニットおよびユニット式建物に関する。
【背景技術】
【０００２】
ライトコートを有する建物として、例えば、建物の側面を平面コ字状に形成し、このコ字状に対応した開口部分にライトコートを形成したものがある（特許文献１参照）。
複数階の建物では、ライトコートを含む空間が上下階に連続して形成される。この空間を有する建物をユニット式建物から構成する場合では、１つの建物ユニットの床部と天井部とにライトコートを含む空間を形成するための開口部が形成されることとなる。
【０００３】
ここで、上階と下階との間に外壁のメンテナンス、その他の目的のために事実上の床部を形成することが考えられる。この床部はインナーバルコニーの床部と同様に建物の外部に露出されることになる。
このように外部に露出する床部を建物ユニットの骨組みに設置するために、互いに対向する下梁に複数の根太を架設し、これらの根太の上に床パネルを吊り下げて設置し、床パネルを根太にボルト締めして固定し、その後、床パネルと壁部との防水処理を施した従来技術がある（特許文献２参照）。
【先行技術文献】
【特許文献】
【０００４】
【特許文献１】特開平７−２６７４３号公報
【特許文献２】特開２００９−７９４５２号公報
【発明の概要】
【発明が解決しようとする課題】
【０００５】
しかしながら、特許文献で示される従来技術では、根太の上に床パネルを吊り下げて設置し、床パネルを根太にボルト締めして固定しているので、床部が全て床パネルで閉塞されている。
また、建物ユニットが現場に搬送される前に床部と壁部との間の防水処理を含めて施工が完了しているので、現場で床部に開口部を形成することができない。
このため、従来技術では、施工後に建物ユニットの一部に開口部を設け、その開口部をライトコートとして活用することができないという問題が挙げられる。
【０００６】
本発明の目的は、開口部に床面材を容易に取り付けできるライトコート用建物ユニットおよびユニット式建物を提供することである。
【課題を解決するための手段】
【０００７】
本発明のライトコート用建物ユニット５２は、柱１０Ａと、互いに対向する上梁１１Ａおよび互いに対向する下梁１２Ａとから直方体状に形成された骨組み１３Ａを有し前記互いに対向する下梁１２Ａに建物外部に露出する床面材７１が設けられたライトコート用建物ユニット５２であって、前記互いに対向する下梁１２Ａの一部にそれぞれ取り付けられるブラケット２１と、前記ブラケット２１の間に配置されるとともに前記ブラケット２１に着脱自在に取り付けられる根太２２とを備え、前記ブラケット２１の間に下部開口部Ｈが形成され、前記根太２２に前記床面材７１が面材用締結具２０を介して着脱自在に取り付けられ、前記下部開口部に対応する上方位置に上部開口部が形成され、この上部開口部を形成するとともに前記互いに対向する上梁には前記上部開口部以外に天井小梁とブレースとが設けられ、前記床面材７１は、リブ７１Ａが縦横にそれぞれ複数配列され平面が格子状に形成されていることを特徴とした。
【０００８】
この発明によれば、下部開口部Ｈにおいて、ブラケット２１が対向する下梁１２にそれぞれ取り付けられ、これらブラケット２１の間に根太２２が取り付けられ、この根太２２に床面材７１が取り付けられているので、施工後に下部開口部Ｈに容易に床面材７１を取り付けることができる。
このため、当該ライトコート用建物ユニット５２と、このライトコート用建物ユニット５２の下階部４の空間とに連続したライトコート７を形成した後、必要に応じてメンテナンスに必要な床面材７１を簡単に設置することができる。
しかも、床面材７１の平面が格子状に形成されているので、床面材７１が光を透過させることができる。よって、下部開口部Ｈに床面材７１を取り付けても光が遮られることなく、下部開口部Ｈから採光することができる。
【００１１】
本発明のライトコート用建物ユニット５２では、前記面材用締結具２０は、前記床面材７１のリブ７１Ａを係止する取付金具２３と、この取付金具２３に係止されるボルト２４と、このボルト２４に螺合され前記根太２２に接合されるナット２５と、を備えたことが好ましい。
【００１２】
この発明によれば、床面材７１を取付金具２３と根太２２とで挟み込み、これらをボルト２４とナット２５とで固定するだけで、床面材７１を下部開口部Ｈに容易に取り付けることができる。
【００１３】
本発明のライトコート用建物ユニット５２では、前記取付金具２３は、前記床面材７１の隣り合うリブ７１Ａをそれぞれ係止する係止片部２３１と、これらの係止片部２３１を連結するとともに前記ボルト２４が係止される連結片部２３２とを有することが好ましい。
【００１４】
この発明によれば、取付金具２３がリブ７１Ａを係止する係止片部２３１を有するので、取付金具２３が床面材７１と位置ズレを起こすおそれがない。
このため、床面材７１を下部開口部Ｈに取り付けた後、取付金具２３が床面材７１から外れてしまうおそれがなく、床面材７１を下部開口部Ｈに確実に取り付けることができる。
【００１５】
本発明のユニット式建物１は、柱１０と、互いに対向する上梁１１および互いに対向する下梁１２とから直方体状に形成された骨組み１３を有する建物ユニットを複数組み合わせて建てられるユニット式建物１であって、これらの建物ユニットの一部が、前記互いに対向する下梁１２Ａに建物外部に露出する床面材７１がライトコート用の下部開口部Ｈに設けられたライトコート用建物ユニット５２であり、前記床面材は、リブが縦横にそれぞれ複数配列され平面が格子状に形成され、前記ライトコート用建物ユニット５２を、工場において、前記互いに対向する下梁１２Ａの一部にブラケット２１をそれぞれ取り付けて前記下部開口部を形成し、前記下部開口部に対応する上方位置に上部開口部を形成するとともに、前記互いに対向する上梁の前記上部開口部以外に天井小梁とブレースとを設けて製造し、建物現場では、ライトコート用建物ユニット５２外部に面して設置し、その後、前記ブラケット２１の間に形成される前記下部開口部Ｈを閉塞するために、前記ブラケット２１の間に根太２２を取り付け、前記根太２２に前記床面材７１を面材用締結具２０で取り付けたことを特徴とした。
【００１６】
この発明によれば、建物ユニットの製造工場において、ライトコート用建物ユニット５２の建物外部に露出する対向した下梁１２Ａにブラケット２１を取り付け、その後、建物現場において、これらブラケット２１の間に根太２２が取り付けられ、この根太２２に床面材７１が取り付けられる。
このため、ライトコート用建物ユニット５２を備えた建物の施工後でも、下部開口部Ｈに容易に床面材７１を取り付けることができる。
また、床面材７１の取り付け以外を工場で施工してしまうので、建物現場での工数が少なく、現場作業性を良好なものにすることができる。
【００１７】
本発明のユニット式建物１では、前記ライトコート用建物ユニット５２は、その下部開口部Ｈがライトコート７の上に位置するように配置することが好ましい。
【００１８】
この発明によれば、床面材７１の平面が格子状であるので、床面材７１が光を透過させることができる。また、床面材７１が取り付けられる下部開口部Ｈがライトコート７の上に位置するように配置されるので、下部開口部Ｈから下階部４へと採光することができ、ライトコート７への採光を妨げない。
【図面の簡単な説明】
【００１９】
【図１】本実施形態のユニット式建物の全体斜視図。
【図２】本実施形態のユニット式建物の上視断面図。
【図３】本実施形態の標準建物ユニットの全体斜視図。
【図４】本実施形態の特殊上階建物ユニットの全体斜視図。
【図５】本実施形態のブラケットおよび支持根太の取り付けを説明するための分解斜視図。
【図６】本実施形態のグレーティングの支持根太への取り付けを説明するための分解斜視図。
【図７】本実施形態のグレーティングの取り付け構造を説明するための拡大断面図。
【発明を実施するための形態】
【００２０】
図１および図２に基づいて本実施形態におけるユニット式建物を説明する。
図１には、本実施形態のユニット式建物の全体斜視図が示されている。
図１に示すように、本発明の一実施形態のユニット式建物１は、基礎２の上に設けられた複数の標準下階建物ユニット３１、特殊下階建物ユニット３２、第一異型下階建物ユニット３３および第二異型下階建物ユニット３４を有する下階部４と、これら下階建物ユニットの上に設けられる複数の標準上階建物ユニット５１、特殊上階建物ユニット５２、第一異型上階建物ユニット５３および第二異型上階建物ユニット５４を有する上階部６と、この上階部６の上方に設けられた立上部９１を有する屋根部９と、を備えて構成されている。
【００２１】
ここで、特殊下階建物ユニット３２とは、ライトコート７を確保するための開放空間を形成できる特殊な構造を有する下階建物ユニットである。第一異型下階建物ユニット３３および第二異型下階建物ユニット３４とは、標準下階建物ユニット３１と梁の寸法が異なる下階建物ユニットである。
また、上階建物ユニットにおいても、これらの定義は同様である。
【００２２】
ユニット式建物１の具体的な構成としては、下階部４は、長辺同士が対向して隣り合う２個の標準下階建物ユニット３１と、長辺同士が対向して隣り合う第一異型下階建物ユニット３３および標準下階建物ユニット３１とに、長辺同士が対向して隣り合う第二異型下階建物ユニット３４および特殊下階建物ユニット３２が挟まれて構成されている。
このとき、全ての下階建物ユニットは、長辺同士が対向して隣り合い、かつ、少なくとも一方の短辺同士が一直線となるように配置される。また上階部６は、下階部４と同様に上階建物ユニットが配置されている。
【００２３】
これにより、ユニット式建物１の中央部に特殊下階建物ユニット３２および特殊上階建物ユニット５２が配置されるので、ライトコート７が下階部４と上階部６とに連続して形成される。また、屋根部９はライトコート７に対応する箇所には設けられないため、ライトコート７は下階部４から上階部６を介して空へと開放された空間となる。
このライトコート７には、下階部４と上階部６との境界部分に配置された床面材としてのグレーティング７１が設けられている。このグレーティング７１は平面板状の部材であり、平面部は格子状に形成され、光を透過できるようになっている。
【００２４】
また、グレーティング７１のユニット式建物１の外部側には柵７２が設けられている。この柵７２は、平面板状であって格子状の平面部を有する部材であり、グレーティング７１同様に光を透過することができる。柵７２を設けたことで、グレーティング７１は事実上の床として利用できる。
さらに、下階部４のライトコート７は、基礎２と一体に形成された縁石７３が設けられており、テラスとして利用できる。
【００２５】
また、ライトコート７に面する建物ユニットの外壁において、ユニット式建物１の外部と対向する外壁面を第一壁面部７４、この第一壁面部７４と直交する窓部としてのガラス戸Ｇが上階部６にも形成されている外壁面を第二壁面部７５、第二壁面部７５と対向する外壁面を第三壁面部７６とする。
このとき第一壁面部７４と第二壁面部７５には、ガラス戸Ｇが設けられており、ライトコート７へと差し込む光をユニット式建物１内へと採光することができる。
ユニット式建物１の外壁や一部空間には、窓８１やインナーバルコニー８２が形成されており、居住空間への採光や居住者のライフスタイルの自由度確保などができるようになっている。
【００２６】
図２には、本実施形態のユニット式建物の上視断面図が示されている。
特殊上階建物ユニット５２は、ライトコート７、廊下Ｃ、階段Ｓが形成されており、ライトコート７および階段Ｓに対応する箇所は床面材等が形成されず、開放空間として利用される。
【００２７】
図３に基づいて本実施形態における標準下階建物ユニット３１および標準上階建物ユニット５１を説明する。図３には、本実施形態の標準建物ユニットの全体斜視図が示されている。
標準下階建物ユニット３１および標準上階建物ユニット５１は、四隅に立設される４本の柱１０と、これらの柱１０の上端間同士を結合する４本の天井梁１１と、各柱１０の下端間同士を結合する４本の床梁１２とを含む骨組み１３を有し、略直方体状に形成されている。
【００２８】
そして、天井梁１１は各２本の長辺天井梁１１１および短辺天井梁１１２で構成され、床梁１２は各２本の長辺床梁１２１および短辺床梁１２２で構成されている。２本の長辺天井梁１１１間、および２本の長辺床梁１２１間には、複数本の天井小梁１５と複数本の根太１６とがそれぞれ架け渡されている。
【００２９】
また、柱１０と天井梁１１および床梁１２とは、仕口１４を介して接続されている。そして、標準下階建物ユニット３１および標準上階建物ユニット５１の対角に位置する仕口１４のそれぞれを連結する図示しないブレースが設けられている。
標準下階建物ユニット３１および標準上階建物ユニット５１の内側には、適宜、内壁材１７が設けられ、居住空間が形成される。
【００３０】
図４に基づいて本実施形態における特殊上階建物ユニット５２を説明する。図４には、本実施形態の特殊上階建物ユニットの全体斜視図が示されている。
特殊上階建物ユニット５２は、四隅に立設される４本の柱１０Ａと、これらの柱１０Ａの上端間同士を結合する４本の天井梁１１Ａと、各柱１０Ａの下端間同士を結合する４本の床梁１２Ａとを含む骨組み１３Ａを有し、略直方体状に形成されている。
【００３１】
そして、天井梁１１Ａは各２本の長辺天井梁１１１Ａおよび短辺天井梁１１２Ａで構成され、床梁１２Ａは各２本の長辺床梁１２１Ａおよび短辺床梁１２２Ａで構成されている。２本の長辺天井梁１１１Ａの一部の間には、複数本の天井小梁１５Ａが架け渡されている。
また、柱１０Ａと天井梁１１Ａおよび床梁１２Ａとは、仕口１４Ａを介して接続されている。そして、特殊上階建物ユニット５２の天井梁１１Ａにおいて、ライトコート７（図１，２参照）に対応する箇所は上部開口とされ、この上部開口以外にはブレース１８が設けられている。
【００３２】
特殊上階建物ユニット５２の内側には、適宜、図示しない内壁材が設けられ、居住空間が形成されている。
また、階段Ｓ（図２参照）に対応する箇所は、根太が設けられていない。そして、ライトコート７の下部開口部Ｈ（以下、開口部Ｈと省略する）に対応する位置にグレーティング７１が設けられている。このグレーティング７１は、平面板状の部材であって、その平面部は格子状に形成されており、光を透過する構造となっている。そして、材質は、ガラス繊維などの繊維をプラスチックの中に入れて強度を向上させた繊維強化プラスチック（Fiber Reinforced Plastics, FRP）である。さらに、廊下Ｃ（図２参照）に対応する箇所には内装材Ｃ１が設けられている。
【００３３】
図１および図２に示すように、特殊下階建物ユニット３２は、階段Ｓに対応する箇所には、天井小梁１５Ａが設けられていない。また、ライトコート７に対応する箇所には、天井小梁１５Ａおよび根太１６（図３参照）が設けられず、グレーティング７１も配置されていない。
つまり、特殊上階建物ユニット５２と特殊下階建物ユニット３２とは、基本的に同じ構造ではあるが、階段Ｓやライトコート７を形成する上で天井小梁１５Ａや根太１６の配置が異なって形成されている。
【００３４】
図５から図７に基づいてグレーティングの取り付けについて説明する。
図５には、本実施形態のブラケットおよび支持根太の取り付けを説明するための分解斜視図が示されている。図６には、本実施形態のグレーティングの支持根太への取り付けを説明するための分解斜視図が示されている。図７には、本実施形態のグレーティングの取り付け構造を説明するための拡大断面図が示されている。
【００３５】
本実施形態では、特殊上階建物ユニット５２には、開口部Ｈにグレーティング７１が取り付けられている（図４参照）。この取り付けとしては、図５に示すように、開口部Ｈにおいて対向する長辺床梁１２１Ａに長尺状のブラケット２１をそれぞれ取り付け、このブラケット２１に直交する根太としての複数の支持根太２２が取り付けられる。
その後、図６に示すように、複数枚のグレーティング７１が、支持根太２２の上方からブラケット２１の間に嵌め込まれることで、開口部Ｈにグレーティング７１が取り付けられる。
【００３６】
また、図７に示すように、グレーティング７１が嵌め込まれた際、グレーティング７１を固定するために面材用締結具２０を用いる。この面材用締結具２０は、取付金具２３と、ボルト２４と、ナット２５とを備えている。グレーティング７１の具体的な固定は、支持根太２２と取付金具２３との間にグレーティング７１を挟持して行う。この際、支持根太２２と取付金具２３とをボルト２４とナット２５とを螺合することにより固定している。また、取付金具２３は、隣り合うリブ７１Ａをそれぞれ係止する係止片部２３１と、これら係止片部２３１を連結する連結片部２３２とを有している。この連結片部２３２は、ボルト２４の挿通孔２３２Ａが設けられており、ボルト２４によって支持根太２２と連結して固定されている。
【００３７】
なお、特殊上階建物ユニット５２は、建物ユニット等の製造工場において、ブラケット２１が取り付けられる。その後、特殊上階建物ユニット５２は建物現場へと搬送され、建物現場において、支持根太２２が取り付けられ、さらに、グレーティング７１が面材用締結具２０により支持根太２２と連結して固定される。
【００３８】
（１）本実施形態の特殊上階建物ユニット５２によれば、開口部Ｈにおいて、ブラケット２１が対向する長辺床梁１２１Ａにそれぞれ取り付けられ、これらブラケット２１の間に支持根太２２が取り付けられ、この支持根太２２にグレーティング７１が取り付けられているので、施工後に開口部Ｈに容易にグレーティング７１を取り付けることができる。
【００３９】
（２）本実施形態によれば、グレーティング７１はリブ７１Ａが縦横に複数配列され、その平面が格子状に形成されているので、グレーティング７１が光を透過させることができる。
このため、開口部Ｈにグレーティング７１を取り付けても光が遮られることなく、開口部Ｈから下階部４へと採光することができる。
【００４０】
（３）本実施形態の特殊上階建物ユニット５２では、面材用締結具２０は、グレーティング７１のリブ７１Ａを係止する取付金具２３と、この取付金具２３に係止されるボルト２４と、このボルト２４に螺合され支持根太２２に接合されるナット２５とを備えている。
このため、グレーティング７１を取付金具２３と支持根太２２とで挟み込み、これらをボルト２４とナット２５とで固定するだけで、グレーティング７１を開口部Ｈに容易に取り付けることができる。
【００４１】
（４）本実施形態の特殊上階建物ユニット５２では、取付金具２３は、グレーティング７１の隣り合うリブ７１Ａの上部をそれぞれ係止する係止片部２３１と、これらの係止片部２３１を連結するとともにボルト２４が係止される連結片部２３２とを有している。
このため、取付金具２３がリブ７１Ａを係止する係止片部２３１を有するので、取付金具２３がグレーティング７１と位置ズレを起こすおそれがない。
よって、グレーティング７１を開口部Ｈに取り付けた後、取付金具２３がグレーティング７１から外れてしまうおそれがなく、グレーティング７１を開口部Ｈに確実に取り付けることができる。
【００４２】
（５）本実施形態のユニット式建物１は、建物ユニットを複数組み合わせて建てられ、これらの建物ユニットの一部が特殊上階建物ユニット５２であり、この特殊上階建物ユニット５２を、互いに対向する長辺床梁１２１Ａにブラケット２１をそれぞれ工場で取り付けて製造し、建物現場では、特殊上階建物ユニット５２外部に面して設置し、その後、これらのブラケット２１の間に形成される開口部Ｈを閉塞するために、ブラケット２１の間に支持根太２２が取り付けられ、この支持根太２２にグレーティング７１が面材用締結具２０を介して取り付けられている。
【００４３】
このため、建物ユニット製造工場において、対向する長辺床梁１２１Ａにブラケット２１を取り付け、建物現場において、これらブラケット２１の間に支持根太２２が取り付けられ、この支持根太２２に床面材が取り付けられる。
よって、特殊上階建物ユニット５２を備えたユニット式建物１の施工後でも、開口部Ｈに容易にグレーティング７１を取り付けることができる。
また、グレーティング７１の取り付け以外を工場で施工してしまうので、建物現場での工数が少なく、現場作業性を良好なものにすることができる。
【００４４】
（６）本発明のユニット式建物１では、特殊上階建物ユニット５２は、その開口部Ｈがライトコート７の上に位置するように配置し、グレーティング７１が平面格子状であるので、グレーティング７１が光を透過させることができ、グレーティング７１が取り付けられる開口部Ｈがライトコート７の上に位置するように配置されるので、開口部Ｈから下階部４へと採光することができ、ライトコート７への採光を妨げるおそれがない。
【００４５】
なお、本発明は前述の各実施形態に限定されるものではなく、本発明の目的を達成できる範囲での変形、改良等は本発明に含まれるものである。
本実施形態では、特殊上階建物ユニット５２は、製造工場においてブラケット２１が取り付けられるとしたが、これに限らない。
例えば、製造工場において、ブラケット２１と支持根太２２とを取り付けてから建物現場へと搬送してもよい。このとき、グレーティング７１は複数枚に分割され、支持根太２２の上に束ねて固定された状態で建物現場に搬送されるようにしてもよい。
または、建物現場において、ブラケット２１と支持根太２２とグレーティング７１とを取り付けてもよい。
【００４６】
また、本実施形態では、床面材としてグレーティング７１を用いたがこれに限らず、例えば、防水パンを開口部Ｈに取り付けてもよい。防水パンを取り付けた場合は、ライトコート７の上階部６を屋外洗濯場として利用することができる。
【産業上の利用可能性】
【００４７】
本発明は、個人住宅用に利用できる他、アパートやビル等の共同住宅にも利用することができる。
【符号の説明】
【００４８】
１…ユニット式建物
７…ライトコート
１０，１０Ａ…柱
１１，１１Ａ…天井梁（上梁）
１２，１２Ａ…床梁（下梁）
１３，１３Ａ…骨組み
２０…面材用締結具
２１…ブラケット
２２…支持根太（根太）
２３…取付金具
２３１…係止片部
２３２…連結片部
２４…ボルト
２５…ナット
３１…標準下階建物ユニット（建物ユニット）
３２…特殊下階建物ユニット（ライトコート用建物ユニット）
５１…標準上階建物ユニット（建物ユニット）
５２…特殊上階建物ユニット（ライトコート用建物ユニット）
７１…グレーティング（床面材）
７１Ａ…リブ
Ｈ…開口部
【図１】
0005501714.tif 000002
【図２】
0005501714.tif 000003
【図３】
0005501714.tif 000004
【図４】
0005501714.tif 000005
【図５】
0005501714.tif 000006
【図６】
0005501714.tif 000007
【図７】
0005501714.tif 000008